(57)【要約】【課題】  簡単な構成で転写部での転写ずれが発生しにくい用紙搬送装置及び画像形成装置を提供すること。【解決手段】  感光体６上の画像を用紙７に転写する転写部に向けて用紙を所定のタイミングで搬送するレジストローラ１０を備えてなる用紙搬送装置、及び、画像形成装置において、回転制御手段を設け、用紙の先端位置をセンサ１１，１３で検出して、用紙が定着部に進入する直前に、レジストローラ１０の線速を一定時間増速させるものとした。【選択図】        図１
2006248670.tif 000002
【特許請求の範囲】
【請求項１】
感光体上の画像を用紙に転写する転写部に向けて用紙を所定のタイミングで搬送するレジストローラを備えてなる用紙搬送装置において、
回転制御手段を設け用紙先端が定着部に進入する直前に、前記レジストローラ線速を一定時間増速させることを特徴とする用紙搬送装置。
【請求項２】
前記転写部の下流側に用紙先端を検出するセンサを備え、回転制御手段は、前記センサで用紙位置を検出してから所定時間経過後に一定時間にわたり前記レジストローラ線速を一定時間増速させることを特徴とする請求項１の用紙搬送装置。
【請求項３】
前記レジストローラの下流側に用紙先端を検出するセンサを備え、回転制御手段は、レジストローラ駆動開始時間から一定時間経過後に前記レジストローラ線速を一定時間増速させることを特徴とする請求項１の用紙搬送装置
【請求項４】
用紙が搬送される用紙搬送路上方に用紙の浮きを防止する拍車部材を備えたことを特徴とする請求項１ないし３のいずれかの用紙搬送装置。
【請求項５】
用紙先端が拍車部材に接触する直前に、前記レジストローラ線速を一定時間増速させることを特徴とする請求項４の用紙搬送装置。
【請求項６】
転写部における用紙線速が感光体線速を上回ることがないことを特徴とする請求項１ないし５のいずれかの用紙搬送装置。
【請求項７】
用紙線速の増速率が１％程度であることを特徴とする請求項１ないし６のいずれかの用紙搬送装置。
【請求項８】
用紙はロール紙を切断して搬送路に配置されることを特徴とする請求項１ないし７のいずれかの用紙搬送装置。
【請求項９】
請求項１ないし８のいずれかの用紙搬送装置を備えたことを特徴とする画像形成装置。
【発明の詳細な説明】
【技術分野】
【０００１】
本発明は、用紙搬送装置及び画像形成装置に係り、特に転写部での転写ずれが発生しにくい給紙装置及び画像形成装置に関する。
【背景技術】
【０００２】
画像形成装置は、感光体上に形成させた画像を、転写部で用紙に転写し、定着部において定着している。一般的に定着動作は全面で圧接する定着部材・加圧部材によって挟持搬送されることで行なわれているが、用紙がこの圧接する定着部材・加圧部材間のニップに進入する際、一時的に搬送速度が低下し、その衝撃が転写部に伝わって画像の転写ずれブレが発生する。
【０００３】
このような転写ずれ防止するため、特許文献１には、転写部・定着部間に配置した、転写出口・定着入口を結ぶ直線平面に対し凹状に湾曲させた搬送部で、用紙に撓みを形成させ、この撓みに用紙先端定着進入時の衝撃を吸収させることにより、転写部への衝撃の伝播を緩和させる方法が記載されている。
【０００４】
また特許文献２には、転写部・定着部間に、用紙を吸引搬送する搬送タンクを、２分割し上記同様凹状Ｖ字型に配置する方法が記載されており、この２個の搬送タンクをそれぞれ独立離間させることで、両搬送タンク間に完全な用紙撓み部を形成させ、用紙先端定着進入時の衝撃を吸収させている。
【０００５】
【特許文献１】特開平６−１４９１１２号公報
【特許文献２】特開２００２−２９９７号公報
【発明の開示】
【発明が解決しようとする課題】
【０００６】
しかしながら特許文献１のものではロール状に巻かれた用紙をカットして使用するロール給紙機で、特にカールの大きくなるロール巻き芯近くの用紙を使用すると、用紙の定着進入衝撃が強まり、かつ画像が全面ハーフトーンのように、感光体と用紙の密着の良くない場合、上記方法では転写ずれを完全に無くすまでは至っていない。また昨今機械の小形化が要求されており、転写・定着間に用紙先端定着進入時の衝撃を吸収させるのに十分な撓みを形成出来るスペースを確保することが困難になっている。
【０００７】
また、特許文献２のものでは２個の搬送タンクを有するため機械の大型化は避けらず、構造も複雑となってしまう。また、転写・定着間に、用紙の未定着画像形成面と反対面を吸着搬送する搬送タンク等の搬送手段を持たない場合、搬送路上方に用紙上の未定着画像との接触を最小限に抑えた搬送ガイド部材である拍車部材を設け、用紙の浮きを防止し定着への進入を円滑に行なえるようにしていることがある。
【０００８】
しかし用紙がカット紙のように平坦な場合は、拍車部材への用紙及び用紙上に形成された未定着画像の接触は起こりにくいが、ロール紙の場合、用紙カールが大きく拍車部材に接触することがあり、ロール巻き芯近くではその接触が特に強固なものとなる。用紙が強固に拍車部材へ当たり、つまり下側搬送路と上方拍車部材間でカールした用紙先端がつぶされる際、一時的に用紙搬送速度が低下し、定着進入時と同様にその衝撃が転写部に伝わって画像の転写ずれとなる場合がある。
【０００９】
本発明は、上述した従来の問題点に鑑み成されたものであり、簡単な構成で転写部での転写ずれが発生しにくい用紙搬送装置及び画像形成装置を提供することを目的とする。
【課題を解決するための手段】
【００１０】
請求項１の発明は、感光体上の画像を用紙に転写する転写部に向けて用紙を所定のタイミングで搬送するレジストローラを備えてなる用紙搬送装置において、回転制御手段を設け用紙先端が定着部に進入する直前に、前記レジストローラ線速を一定時間増速させることを特徴とする用紙搬送装置である
【００１１】
請求項２の発明は、請求項１の用紙搬送装置において、前記転写部の下流側に用紙先端を検出するセンサを備え、回転制御手段は、前記センサで用紙位置を検出してから所定時間経過後に一定時間にわたり前記レジストローラ線速を一定時間増速させることを特徴とする。
【００１２】
請求項３の発明は、請求項１の用紙搬送装置において、前記レジストローラの下流側に用紙先端を検出するセンサを備え、回転制御手段は、レジストローラ駆動開始時間から一定時間経過後に前記レジストローラ線速を一定時間増速させることを特徴とする。
【００１３】
請求項４の発明は、請求項１ないし３のいずれかの用紙搬送装置において、用紙が搬送される用紙搬送路上方に用紙の浮きを防止する拍車部材を備えたことを特徴とする。
【００１４】
請求項５の発明は、請求項４の用紙搬送装置において、用紙先端が拍車部材に接触する直前に、前記レジストローラ線速を一定時間増速させることを特徴とする。
【００１５】
請求項６の発明は、請求項１ないし５のいずれかの用紙搬送装置において、転写部における用紙線速が感光体線速を上回ることがないことを特徴とする。
【００１６】
請求項７の発明は、請求項１ないし６のいずれかの用紙搬送装置において、用紙線速の増速率が１％程度であることを特徴とする。
【００１７】
請求項８の発明は、請求項１ないし７のいずれかの用紙搬送装置において、用紙はロール紙を切断して搬送路に配置されることを特徴とする。
【００１８】
請求項９の発明は、請求項１ないし８のいずれかの用紙搬送装置を備えたことを特徴とする画像形成装置である。
【発明の効果】
【００１９】
本発明によれば、簡単な構成で転写部での転写ずれが発生しにくい用紙搬送装置及び画像形成装置を提供することができる。
【発明を実施するための最良の形態】
【００２０】
以下本発明を実施するための最良の形態を、図に示す実施例を参照して説明する。
【実施例】
【００２１】
以下本発明に係る画像形成装置の実施例を図面に基づいて説明する。図１は本発明の実施例に係る画像形成装置を示す図、図２は図１に示した画像形成装置の要部拡大図である。
【００２２】
原稿１は原稿搬送ローラ対２原稿搬送ローラ対３により搬送され、読み取り部４で画像を読み取られる。読み取られた画像はレーザヘッド（ＬＰＨ）５で、回転する感光体６に書き込まれる。ロール状に巻かれた用紙７は、給紙ローラ対８・給紙ローラ対９によりレジストローラ対１０へ送られ、レジストセンサ１１で用紙７先端を検知し、感光体６上の画像と位置を合わせて転写部１２で画像転写され、その先端を用紙センサ１３で検知された後、定着ローラ１４・加圧ローラ１５で挟持搬送しながら画像定着されて、排紙ローラ対１６により図示しないスタッカーに排出される。尚用紙７はカッター１７で所定の長さにカットされる。
【００２３】
ここでレジストローラ１０の線速Ｖｒは、基本的に感光体６線速Ｖｄと等速としている。本例では、用紙７先端が用紙センサ１３を通過してから所定時間後に一定時間だけ増速する。これは用紙７先端が定着ローラ１４・加圧ローラ１５で形成されるニップに到達する前後の一定時間であり、用紙７先端が定着ローラ１４・加圧ローラ１５にくわえ込まれる際の一時的に用紙７線速が低下する時間を含むものである。
【００２４】
これらの動作によりレジストローラ１０・感光体６間に一時的に用紙７のたるみが生じ図２に示すように、転写部１２における感光体６と用紙７の密着性が強まり、用紙７先端が定着ローラ１４・加圧ローラ１５にくわえ込まれる際の衝撃でのずれを減少させることとができる。尚、増速は短時間であり、増速量も１％程度であり、転写部１２における用紙７線速が感光体６線速を上回ることはなく、画像の縮みは発生しない。
【００２５】
本例では用紙センサ１３を通過してから所定時間後に増速を開始しているが、増速開始タイミングを、レジストセンサ１１で用紙７先端を検知し、感光体６上の画像に合わせて、レジストローラ１０をスタートさせた時点からの時間でカウントして決定しても構わない。
【００２６】
次に本発明に係る画像形成装置の第２の実施例について説明する。図３は本発明の他の実施例に係る画像形成装置を示す図、図４は図３に示した画像形成装置の要部拡大図である。
【００２７】
本例において画像形成装置は、転写部１２と定着ローラ１４及び加圧ローラ１５の間に拍車部材１９を配置した他は前記実施例と同様の構造を備える。即ち原稿１は原稿搬送ローラ対２・原稿搬送ローラ対３により搬送され、読み取り部で画像を読み取られる。読み取られた画像はレーザヘッド（ＬＰＨ）５で、回転する感光体６に書き込まれる。ロール状に巻かれた用紙７は、給紙ローラ対８・給紙ローラ対Ｂ９によりレジストローラ対１０へ送られ、レジストセンサ１１で用紙７先端を検知し、感光体６上の画像と位置を合わせて転写部１２で画像転写され、搬送ガイド板１８と拍車部材１９間を通過した後、定着ローラ１４・加圧ローラ１５で挟持搬送しながら画像定着されて、排紙ローラ対１６により図示しないスタッカーに排出される。尚用紙７はカッター１７で所定の長さにカットされる。
【００２８】
ここでレジストローラ１０線速Ｖｒは、基本的に感光体６線速Ｖｄと等速である。但しレジストセンサ１１で用紙７先端を検知し、感光体６上の画像に合わせて、レジストローラ１０をスタートさせた時点からカウントして所定時間後に一定時間だけ増速する。これは用紙７先端が拍車部材１９に到達する前後の一定時間であり、用紙７先端が搬送ガイド板１８、拍車部材１９間に挟まれ、図４に示すように、一時的に用紙７線速が低下する時間を含むものである。これらの動作によりレジストローラ１０、感光体６間に一時的に用紙７のたるみが生じ、転写部１２における感光体６と用紙７の密着性が強まり、用紙７先端が搬送ガイド板１８、拍車部材１９間に挟まれる際の衝撃でのずれを減少させることとなる。尚増速は短時間であり、増速量も１％程度であり、転写部１２における用紙７線速が感光体６線速を上回ることはなく、画像の縮みは起こらない。
【００２９】
本発明によれば、レジストローラ線速の一時的増速により、レジストローラ・感光体間に用紙のたるみが形成され、転写部における用紙と感光体の密着性が強まり、用紙先端が定着に進入する際の衝撃による転写部での転写ずれが発生しにくいものとできる。
【００３０】
また、レジストローラ線速の一時的増速により、レジストローラ・感光体間に用紙のたるみが形成され、転写部における用紙と感光体の密着性が強まり、用紙先端が搬送ガイド板・拍車部材間に挟まれる際の衝撃による転写部での転写ずれが発生しにくいものとできる。
【図面の簡単な説明】
【００３１】
【図１】本発明の実施例に係る画像形成装置を示す図である。
【図２】図１に示した画像形成装置の要部拡大図である。
【図３】本発明の他の実施例に係る画像形成装置を示す図である。
【図４】図３に示した画像形成装置の要部拡大図である。
【符号の説明】
【００３２】
１・・・原稿
４・・・読取部
６・・・感光体
７・・・用紙
１０・・・レジストローラ対
１１・・・レジストセンサ
１２・・・転写部
１３・・・用紙センサ
１４・・・定着ローラ
１５・・・加圧ローラ
１６・・・排紙ローラ対
１７・・・カッター
１８・・・搬送ガイド板
１９・・・拍車部材
【図１】
2006248670.tif 000003
【図２】
2006248670.tif 000004
【図３】
2006248670.tif 000005
【図４】
2006248670.tif 000006